(57)【要約】      （修正有）【課題】透明なアクリル樹脂板の厚み及び使用量を減少させた構造で大幅に軽量化したＬＥＤ広告パネルを提供する。【解決手段】矩形体を形取った透明な二枚のプラスチクシート１の内面に額縁状に縁取ったマグネットフィルムとこれと同形で所要厚の横方向の上面又は下面に溝部を設け、この溝部内に極小のＬＥＤモジュル２を配置するとともに表面の密着面を凹凸にしたいわゆるエンボス処理を施した透明なアクリル樹脂板３とこの裏面に付着させた白色の反射板４とこの反射板の外面上に配線したリード線８を有する雌形コネクタ６と雄形コネクタと、さらに前記の透明なアクリル樹脂３の矩形状の四隅の所定位置にマグネット受金具１２と上面には連接用爪金具１０と下面には連接用受金具を取付けた部材を複数個の所要ねじで一体化接続して大幅な軽量化を図ったＬＥＤ広告パネル。【選択図】図１
0003183874.tif 000002
【実用新案登録請求の範囲】
【請求項１】
矩形体を形取った透明な二枚のプラスチックシ−ト（１）の内面に額縁状に縁取ったマグネットフィルム（７）とこれと同形で所要厚の横方向の上面又は下面に溝部を設け、この溝部内に極小のＬＥＤモジュ−ル（２）を配置するととも表面の密着面を凹凸にしたいわゆるエンボス処理を施した透明なアクリル樹脂板（３）とこの裏面に付着させた白色の反射板（４）とこの反射板（４）の外面上に配線したリ−ド線（８）を有する雌形コネクタ（５）と雄形コネクタ（６）と、さらに前記の透明なアクリル樹脂板（３）の矩形状の四隅の所定の位置にマグネット受金具（１２）と上面には連接用爪金具（１０）と下面には連接用爪受金具（１１）を取付けた部材を複数個の所要ねじ（９）で一体化接続して構成したことを特徴とするＬＥＤ広告パネル。
【考案の詳細な説明】
【技術分野】
【０００１】本考案は、発光ダイオ−ド（以下、ＬＥＤという。）を用いた広告パネルで、特に、透明なプラスチックシ−トと透明なアクリル樹脂板との組み合わせで構成され、連接して吊り下げて使用するパネルの改良に関するものである。
【背景技術】
【０００２】公知のＬＥＤを用いた広告パネルは、ＬＥＤの特徴である寿命の長さ、発熱量の少ないこと及び低消費電力等のメリットが大きいことでその用途が大幅に拡大普及される傾向にある。
対象としては各企業、商店等のウィンド−に掲示の広告表示パネルにより広告媒体としての宣伝効果が注目視されており、とりわけ不動産物件の吊り下げ型見取り図の宣伝手段として最適な利便性を有する。【０００３】従来の吊り下げ型ＬＥＤを用いた広告パネルは、構造的には図３のように、第一の透明なアクリル樹脂（イ）、第二の透明なアクリル樹脂（ロ）、表面にエンボスを施した白色のアクリル樹脂（ハ）の内、第一の透明なアクリル樹脂を除いては所要のねじで一体固定化されている。
なお、第二の透明なアクリル樹脂（ロ）の両側又は片側には極小のＬＥＤモジュ−ル（ニ）が縦方向に配列されており、白色のアクリル樹脂にはスイッチ（ホ）とコネクタ（ヘ）が接続されている。さらに、第二の透明なアクリル樹脂の角面（四箇所）には吊り下げ用の小穴が施されており、この小穴にフック等を引っ掛けて複数個連結されている。【０００４】しかしながら、上述のものにおいては次のような問題点がある。
吊り下げられるＬＥＤを用いた表示パネルは重量的にも重いため連結個数に限界があり、落下あるいは外れ等の問題が常に付きまとい不安定である。
【考案の概要】
【考案が解決しようとする課題】
【０００５】本考案は上述の問題点を除去するためになされたものであり、透明なアクリル樹脂の厚みを２０％薄くするとともに両面から二枚の透明なプラスチックシ−トで広告紙等を保持するようにし、これにより大幅な軽量化を図ることで、吊り下げパネルの枚数を増量可能とし落下、外れ等の生じることのない安定状態を実現しようとするものである。
【課題を解決するための手段】
【０００６】矩形体を形取った透明な二枚のプラスチックシ−トの内面に額縁状に縁取ったマグネットフィルムとこれと同形で所要厚の横方向の上面又は下面に溝部を設け、この溝部内に極小のＬＥＤモジュ−ルを配置するとともに表面の密着面を凹凸にしたいわゆるエンボス処理を施した透明なアクリル樹脂とこのこの裏面に付着させた白色の反射板とこの反射板の外面上に配線したリ−ドを有する雌形コネクタと雄形コネクタとさらに前記透明なアクリル樹脂板の矩形状の四隅の所定の位置にマグネット受金具と上面には連接用爪金具と下面には連接用受金具を取付けた部材を複数個の所要ねじで一体化接続し、構成することで大幅な軽量化を図るようにしたＬＥＤ広告パネルを提供する。
【考案の効果】
【０００７】透明なアクリル樹脂パネルの所要厚を薄くすること及び二枚のプラスチックシ−トの一体化より、一個当たりの重量を削減できるので、より多くのパネルの連接が可能となる。
【図面の簡単な説明】
【０００８】
【図１】本考案のＬＥＤ広告パネルの平面図及び側面図
【図２】本考案のＬＥＤ広告パネルの分解組立て斜視図
【図３】本考案のＬＥＤ広告パネルの使用説明図
【図４】従来のＬＥＤ広告パネルの平面図及び側面図
【考案を実施するための形態】
【０００９】以上のように本考案品においては、本体一個当たりの重量が極めて軽量となることから吊り下げられるウインド−の面に縦横自在に体裁良く整列した状態で配列できる。
【実施例】
【００１０】以下、本考案の一実施例を説明する。
図１は本考案のＬＥＤ広告パネルの平面図及び側面図であるが、１はプラスチックシ−ト、２はＬＥＤモジュ−ル、３はアクリル樹脂板、４は反射板、５は雌形コネクタ、６は雄形コネクタ、７マグネットフィルム、８はリ−ド線、９はねじ、１０は連接用爪金具、１１は連接用受金具、１２はマグネット受金具、１３はナットを示す。【００１１】図２の分解組立て斜視図で、発光部となる２のＬＥＤモジュ−ルは３の透明なアクリル樹脂板の厚み側の横方向（矩形体下端に施した）溝部１ａに配置されている。また、３の透明なアクリル樹脂板の表面には凹凸が施してあるが、この裏面に４の白色の反射板を貼付けて１の透明なプラスチックシ−トでによりカバ−してこれらの下端を９の所要ねじ及び１３のナットにより一体化するよう固定される。さらに、３の透明なアクリル樹脂板の矩形体の四隅には１２のマグネット受金具が埋め込まれており、１の矩形体のプラスチックシ−ト裏面に縁取り形状に貼付された７のマグネットフィルムで接合し合う用に構成されている。【００１２】図３は広告媒体の使用説明図であるが、因みに、広告媒体として使用される印用紙類Ｐは１の透明なプラスチックシ−トを開放させ、３の透明アクリル樹脂板の隙間に挟持させてセットが完了状態になり、２のＬＥＤモジュ−ルの発光により鮮明に表現される。
また、３の透明なアクリル樹脂の上面には複数個の１１の連接用爪金具と下面ににはそれに対応する１２の爪金具が取付けてある。
この連接状態においての電気的接続方法は、前述の５の雄形と６の雌形のコネクタの８のリ−ド線による接続で２のＬＥＤモジュ−ルで発光が得られる。
もちろん、電源本体は交流１００Ｖから直流アダプタ（図示はしていない．）による形態となる。【００１３】本考案はこれらの部材を重ね合わせることにより本体一面当たりの重量を削減したＬＥＤ表示パネルを形成されることにより、吊り下げの連接に関しては裕度を持って対応が可能となる。【００１４】以上のように本考案のＬＥＤ広告パネルは、その構成が極めて単純であることから、製作的に簡単であり、取扱いの容易性等から利便性の高い製品として広範囲に使用でき、かつ、工作面でも量産可能となる。
【符号の説明】
【００１５】  １  プラスチックシ−ト
２  ＬＥＤモジュ−ル
３  アクリル樹脂
４  反射板
５  雄形コネクタ
６  雌形コネクタ
７  マグネットフィルム
８  リ−ド線
９  ねじ
１０  連接用爪金具
１１  連接用爪受金具
１２  マグネット受金具
１３  ナット
【図１】
0003183874.tif 000003
【図２】
0003183874.tif 000004
【図３】
0003183874.tif 000005
【図４】
0003183874.tif 000006